(57)【特許請求の範囲】
【請求項１】
ＧＷ無線機と、メータに接続されたメータ無線機と、から構成され、前記メータ無線機が、前記メータの検針値を直接又は他のメータ無線機を中継して前記ＧＷ無線機に送信する検針ネットワークを設計するために用いられる設計装置であって、
無線機の位置を入力する入力手段と、
前記入力手段によって入力された複数の無線機の中の１つを前記ＧＷ無線機として設定するＧＷ設定手段と、
前記入力手段によって入力された複数の無線機の中から前記メータ無線機を設定するメータ無線機設定手段と、
前記設定された前記ＧＷ無線機及び前記メータ無線機から構成された検針ネットワークにネットワーク識別情報を自動的に付与するネットワーク識別情報付与手段と、
前記ネットワーク識別情報と、当該ネットワーク識別情報に対応する検針ネットワークと、を関連付けて記録する記録手段と、
前記ＧＷ無線機及び前記メータ無線機を設定するためのユーザによる設定操作を受ける設定操作手段と、
前記ユーザによる設定操作に基づき、前記入力された無線機の中から前記ＧＷ無線機を選択するＧＷ選択手段と、
地図上に前記入力された無線機の位置を示すマークを表示する表示制御手段と、
前記ＧＷ無線機が選択された後、前記無線機の位置に基づいて、前記選択されたＧＷ無線機と直接通信可能な無線機を判定する第１判定手段と、
前記無線機の位置に基づいて前記選択されたＧＷ無線機と中継により通信可能な無線機を判定する第２判定手段と、
前記ユーザによる設定操作に基づき、前記選択されたＧＷ無線機と直接通信可能な無線機の中、および前記選択されたＧＷ無線機と中継により通信可能な無線機の中から、前記メータ無線機を選択するメータ無線機選択手段と、を備え、
前記ＧＷ設定手段及び前記メータ無線機設定手段は、前記設定操作手段の操作に応じて前記ＧＷ選択手段及び前記メータ無線機選択手段により選択された無線機を前記ＧＷ無線
機及び前記メータ無線機として設定し、
前記表示制御手段は、前記ＧＷ無線機として選択された無線機であることが識別できるように前記マークを表示すると共に、前記メータ無線機として選択された無線機であることが識別できるように前記マークを表示し、
前記メータ無線機選択手段は、前記第１判定手段により前記ＧＷ無線機と直接通信可能と判定されず、かつ、前記第２判定手段により前記ＧＷ無線機と中継により通信可能と判定されない無線機を前記メータ無線機として選択することを禁止する
ことを特徴とする設計装置。
【請求項２】
ＧＷ無線機と、メータに接続されたメータ無線機と、から構成され、前記メータ無線機が、前記メータの検針値を直接又は他のメータ無線機を中継して前記ＧＷ無線機に送信する検針ネットワークを設計するために用いられる設計装置であって、
無線機の位置を入力する入力手段と、
前記入力手段によって入力された複数の無線機の中の１つを前記ＧＷ無線機として設定するＧＷ設定手段と、
前記入力手段によって入力された複数の無線機の中から前記メータ無線機を設定するメータ無線機設定手段と、
前記設定された前記ＧＷ無線機及び前記メータ無線機から構成された検針ネットワークにネットワーク識別情報を自動的に付与するネットワーク識別情報付与手段と、
前記ネットワーク識別情報と、当該ネットワーク識別情報に対応する検針ネットワークと、を関連付けて記録する記録手段と、
前記ＧＷ無線機及び前記メータ無線機を設定するためのユーザによる設定操作を受ける設定操作手段と、
前記ユーザによる設定操作に基づき、前記入力された無線機の中から前記ＧＷ無線機を選択するＧＷ選択手段と、
地図上に前記入力された無線機の位置を示すマークを表示する表示制御手段と、
前記ＧＷ無線機が選択された後、前記無線機の位置に基づいて、前記選択されたＧＷ無線機と直接通信可能な無線機を判定する第１判定手段と、
前記無線機の位置に基づいて前記選択されたＧＷ無線機と中継により通信可能な無線機を判定する第２判定手段と、
前記ユーザによる設定操作に基づき、前記選択されたＧＷ無線機と直接通信可能な無線機の中、および前記選択されたＧＷ無線機と中継により通信可能な無線機の中から、前記メータ無線機を選択するメータ無線機選択手段と、を備え、
前記ＧＷ設定手段及び前記メータ無線機設定手段は、前記設定操作手段の操作に応じて前記ＧＷ選択手段及び前記メータ無線機選択手段により選択された無線機を前記ＧＷ無線
機及び前記メータ無線機として設定し、
前記表示制御手段は、前記ＧＷ無線機として選択された無線機であることが識別できるように前記マークを表示すると共に、前記メータ無線機として選択された無線機であることが識別できるように前記マークを表示し、
前記表示制御手段は、前記メータ無線機として選択される前の無線機が前記選択されたＧＷ無線機と直接又は中継により通信可能な無線機であることが視認できるように表示することを特徴とする設計装置。
【発明の詳細な説明】
【技術分野】
【０００１】
本発明は、設計装置に係り、特に、検針ネットワークの設計装置に関するものである。
【背景技術】
【０００２】
従来より、ＧＷ（ゲートウェイ）無線機と、メータに接続された複数のメータ無線機と、から構成され、メータ無線機が、メータの検針値を直接又は他のメータ無線機を中継してＧＷ無線機に送信する検針ネットワークが知られている（特許文献１）。そして、ハンディターミナル端末（ＨＨＴ）が、ＧＷ無線機から複数の検針値を受信することにより一括して検針できる。
【０００３】
上述した検針ネットワークを用いた一括検針を行うにあたって、管理者は事前に、各顧客宅に配置された無線機の中からＧＷ無線機、メータ無線機を選択して検針ネットワークを設計し、各検針ネットワークにそれぞれネットワーク番号を付与して管理する必要がある。しかしながら、従来ではこの検針ネットワークの設計方法が確立されていない、という問題があった。
【先行技術文献】
【特許文献】
【０００４】
【特許文献１】特開２０１２−２８９６６号公報
【発明の概要】
【発明が解決しようとする課題】
【０００５】
そこで、本発明は、簡単に検針ネットワークの設計及び監理を行うことができる設計装置を提供することを課題とする。
【課題を解決するための手段】
【０００６】
上述した課題を解決するためになされた本発明の設計装置は、ＧＷ無線機と、メータに接続されたメータ無線機と、から構成され、前記メータ無線機が、前記メータの検針値を直接又は他のメータ無線機を中継して前記ＧＷ無線機に送信する検針ネットワークを設計するために用いられる設計装置であって、無線機の位置を入力する入力手段と、前記入力手段によって入力された複数の無線機の中の１つを前記ＧＷ無線機として設定するＧＷ設定手段と、前記入力手段によって入力された複数の無線機の中から前記メータ無線機を設定するメータ無線機設定手段と、前記設定された前記ＧＷ無線機及び前記メータ無線機から構成された検針ネットワークにネットワーク識別情報を自動的に付与するネットワーク識別情報付与手段と、前記ネットワーク識別情報と、当該ネットワーク識別情報に対応する検針ネットワークと、を関連付けて記録する記録手段と、を備える。
【０００７】
また、前記設計装置は、地図上に前記入力された無線機の位置を示すマークを表示する表示制御手段と、前記入力された無線機の中から前記ＧＷ無線機を選択するＧＷ選択手段と、前記入力された無線機の中から前記メータ無線機を選択するメータ無線機選択手段と、前記ＧＷ無線機及び前記メータ無線機を設定するための設定操作が行われる設定操作手段と、を備え、前記表示制御手段は、前記ＧＷ無線機として選択された無線機であることが識別できるように前記マークを表示すると共に、前記メータ無線機として選択された無線機であることが識別できるように前記マークを表示し、前記ＧＷ設定手段及び前記メータ無線機設定手段は、前記設定操作手段の操作に応じて前記ＧＷ選択手段及び前記メータ無線機選択手段により選択された無線機を前記ＧＷ無線機及び前記メータ無線機として設定するようにしても良い。
【０００８】
また、前記設計装置は、前記ＧＷ無線機が選択された後、前記無線機の位置に基づいて、前記選択されたＧＷ無線機と直接通信可能な無線機を判定する第１判定手段と、前記無線機の位置に基づいて前記選択されたＧＷ無線機と中継により通信可能な無線機を判定する第２判定手段と、を備え、前記メータ無線機選択手段は、前記第１判定手段により前記ＧＷ無線機と直接通信可能と判定されず、かつ、前記第２判定手段により前記ＧＷ無線機と中継により通信可能と判定されない無線機を前記メータ無線機として選択することを禁止するようにしても良い。
【０００９】
また、前記設計装置は、記ＧＷ無線機が選択された後、前記無線機の位置に基づいて、前記選択されたＧＷ無線機と直接通信可能な無線機を判定する第１判定手段と、前記無線機の位置に基づいて前記選択されたＧＷ無線機と中継により通信可能な無線機を判定する第２判定手段と、を備え、前記表示制御手段は、前記メータ無線機として選択される前の無線機が前記選択されたＧＷ無線機と直接又は中継により通信可能な無線機であることが視認できるように表示するようにしても良い。
【発明の効果】
【００１０】
以上説明したように請求項１記載の発明によれば、ＧＷ無線機及びメータ無線機が設定されると、ネットワーク識別情報設定手段が、設定されたＧＷ無線機及びメータ無線機から構成される検針ネットワークに自動的にネットワーク識別情報を付与し、記録手段が、ネットワーク識別情報と、当該ネットワーク識別情報に対応する検針ネットワークと、を関連付けて記録する。これにより、検針ネットワークを設定するとネットワーク識別情報の付与と、ネットワーク識別情報の管理（記録）と、を自動で行うことができ、簡単に検針ネットワークの設計を行うことができる。
【００１１】
請求項２記載の発明によれば、選択されたＧＷ無線機及びメータ無線機の地図上の位置を簡単に確認することができる。
【００１２】
請求項３記載の発明によれば、選択されたＧＷ無線機と通信不可能なものがメータ無線機として選択されることがない。
【００１３】
請求項４記載の発明によれば、メータ無線機として選択される前の無線機が選択されたＧＷ無線機と直接又は中継により通信可能な無線機であることが視認できるので、メータ無線機を選択しやすい。
【図面の簡単な説明】
【００１４】
【図１】本発明の設計装置としてのタブレットの一実施形態を示すブロック図である。
【図２】図１に示すタブレットで設計される検針ネットワークを説明するための説明図である。
【図３】検針ネットワーク設計前における図１に示すタッチパネルの表示例を示す図である。
【図４】マークＭ６をＧＷ無線機として選択したときの図１に示すタッチパネルの表示例を示す図である。
【図５】マークＭ６をＧＷ無線機、マークＭ５、Ｍ７をメータ無線機として選択したときの図１に示すタッチパネルの表示例を示す図である。
【図６】マークＭ６をＧＷ無線機、マークＭ４、Ｍ５、Ｍ７〜Ｍ１０をメータ無線機として選択したときの図１に示すタッチパネルの表示例を示す図である。
【図７】マークＭ６をＧＷ無線機、マークＭ１〜Ｍ５、Ｍ７〜Ｍ１０をメータ無線機として選択したときの図１に示すタッチパネルの表示例を示す図である。
【図８】図１に示すＲＡＭ内に記録されるテーブルを示す図である。
【図９】新規のネットワークを登録するときのタッチパネルの表示例を示す図である。
【図１０】全てのマークについて登録が終わったときに設定される検針ネットワークを説明するための説明図である。
【発明を実施するための形態】
【００１５】
（第１実施形態）
以下、第１実施形態における本発明の設計装置としてのタブレットについて図１〜図９を参照して説明する。図１に示すタブレット１には、図２に示す検針ネットワークを設計するための設計アプリがインストールされている。タブレット１の構成について説明する前に、検針ネットワークについて図２を参照して説明する。
【００１６】
同図に示すように、検針ネットワークＮは、ＧＷ（ゲートウェイ）無線機１１と、メータ１２ａ〜１２ｄに接続された複数のメータ無線機１３ａ〜１３ｄと、から構成され、メータ無線機１３ａ〜１３ｄが、各メータ１２ａ〜１２ｄの検針値を直接又は他のメータ無線機１３ａ〜１３ｄを中継してＧＷ無線機１１に送信するネットワークである。メータ１２ａ〜１２ｄは、顧客宅に設置され、水道、ガス、電気などを計量するメータである。なお、図２に示す例では、ＧＷ無線機１１にもメータ１４が接続されているが、ＧＷ無線機１１にメータ１４が接続されていなくてもよい。
【００１７】
図２に示す例では、メータ無線機１３ａ、１３ｂは、直接ＧＷ無線機１１にメータ１２ａ、１２ｂの検針値を送信できる。メータ無線機１３ｃは、他のメータ無線機１３ａ、１３ｂ、１３ｄを中継してメータ１２ｃの検針値をＧＷ無線機１１に送信できる。メータ無線機１３ｄは、他のメータ無線機１３ａ〜１３ｃを中継してメータ１２ｄの検針値をＧＷ無線機１１に送信できる。
【００１８】
そして、ＧＷ無線機１１は、タブレット１からの検針要求を無線で受信すると、自身に接続されたメータ１４の検針値に加えて、他のメータ無線機１３ａ〜１３ｄから送信されたメータ１２ａ〜１２ｄの検針値をタブレット１に送信する。これにより、タブレット１は、ＧＷ無線機１１と無線通信するだけで、メータ１４、１２ａ〜１２ｄの一括検針を行うことができる。
【００１９】
上述した検針ネットワークＮを全国に複数設け、各地で一括検針が行えるようにすることが考えられている。このため、管理者は、事前に、各顧客宅に配置された無線機の中からＧＷ無線機１１、メータ無線機１３ａ〜１３ｄを選択して検針ネットワークＮを設計し、各検針ネットワークＮに重複しないようにネットワーク番号（＝ネットワーク識別情報）を付して管理する必要がある。
【００２０】
本実施形態のタブレット１に入力された設計アプリは、上記検針ネットワークＮの設計と、設計した検針ネットワークＮにネットワーク番号を付して管理するためのアプリケーションである。
【００２１】
次に、上記タブレット１の構成について説明する。図１に示すように、タブレット１は、タブレット１全体の制御を司るマイクロコンピュータ２（以下、マイコン２）と、無線通信部３と、マイコン２によって制御されるタッチパネル４と、を備えている。
【００２２】
マイコン２は、処理プログラムに従って各種の処理を行うＣＰＵ２Ａと、ＣＰＵ２Ａが行う処理のプログラムなどを格納したＲＯＭ２Ｂと、上書き可能なＲＡＭ２Ｃと、を備えている。
【００２３】
無線通信部３は、無線通信網などに接続可能な周知の無線機である。タブレット１は、この無線通信部３を用いて、無線通信網を介してサーバ（外部メモリ）に接続し、サーバに記憶された顧客リストを無線で受信して入力したり、各メータの検針値をサーバに送信することができる。顧客リストとは、無線機が設置された顧客名、住所（位置）などのリストである。タッチパネル４は、例えば、タッチセンサが設けられた表示器から構成された周知のタッチパネルである。
【００２４】
次に、上述した構成のタブレット１の動作について図３〜図１０を参照して説明する。タブレット１のＣＰＵ２Ａは、タッチパネル４の操作に応じて、ネットワーク設計アプリを立ち上げる。その後、ＣＰＵ２Ａは、入力手段として働き、タッチパネル４の操作に応じて、無線通信部３を用いて、サーバに接続し、顧客リストを受信してＲＡＭ２Ｃに入力する。
【００２５】
次に、設計者が例えばタッチパネル４上に表示された新規設計アイコン（図示せず）をタッチ操作すると、ＣＰＵ２Ａは、図３に示すように、表示制御手段として働き、地図上に入力された無線機が設置された位置（住所）を示すマークＭ１〜Ｍ２８を重畳させた画像を、タッチパネル４に表示する。どの検針ネットワークにも属していない最初の状態においては、マークＭ１〜Ｍ２８は、例えばグレーに表示される。
【００２６】
まず、設計者は、タッチパネル４上にグレーに表示されているマークＭ１〜Ｍ２８の１つをタッチして、ＧＷ無線機を選択する。ＣＰＵ２Ａは、ＧＷ無線機としてタッチされたマークＭ１〜Ｍ２８をグレーから緑に表示する。例えば、設計者がマークＭ６をタッチした場合、図４に示すように、マークＭ６が例えば緑色に表示してＧＷ無線機として選択されたことを示す。このことから明らかなように、ＣＰＵ２Ａは、ＧＷ選択手段として働く。
【００２７】
その後、設計者が、例えばタッチパネル４に表示されたＧＷ選択アイコン（図示せず）を操作すると、ＣＰＵ２Ａは、タッチパネル４上に「この顧客をＧＷにします」「Ｃａｎｃｅｌ」「ＯＫ」との文字を重畳して表示する。
【００２８】
設計者が、「Ｃａｎｃｅｌ」をタッチすると、ＣＰＵ２Ａは、「この顧客をＧＷにします」「Ｃａｎｃｅｌ」「ＯＫ」との文字を消して、図３に示す表示に戻る。
【００２９】
一方、設計者が、「ＯＫ」をタッチすると、ＣＰＵ２Ａは次に、「ＧＷに紐付ける顧客を選択してください」「ＯＫ」との文字を表示する。設計者が「ＯＫ」をタッチすると、ＣＰＵ２Ａは、「ＧＷに紐付ける顧客を選択してください」「ＯＫ」との文字を消して、図４に示す表示に戻る。
【００３０】
なお、図４に示す円、又は、以下の図５〜図１０に示す円は、無線機の見通し距離であり、説明を理解しやすくするために記載しているが、第１実施形態では円の表示はない。
【００３１】
また、ＣＰＵ２Ａは、第１判定手段として働き、選択されたＧＷ無線機と直接通信可能な無線機を判定し、ＲＡＭ２Ｃ内に記憶しておく。ＣＰＵ２Ａは、例えば、選択されたＧＷ無線機を中心とし、無線機の性能を考慮した見通し距離内にある無線機を直接通信可能な無線機と判定する。例えば、図４に示すように、マークＭ６がＧＷ無線機に設定された場合、マークＭ６の見通し距離Ｒ６内にあるマークＭ５、Ｍ７が直接通信可能な無線機として判定される。
【００３２】
次に、設計者が、タッチパネル４上にグレーに表示されているマークＭ１〜Ｍ５、Ｍ７〜Ｍ２８をタッチして、メータ無線機として選択する。ＣＰＵ２Ａは、ＲＡＭ２Ｃ内に記憶された直接通信可能なマークＭ５、Ｍ７がタッチされると、図５に示すように、グレーから例えば青色に色を変えて、メータ無線機として選択されたことを識別可能にする。一方、ＣＰＵ２Ａは、マークＭ５、Ｍ７以外のマークＭ１〜Ｍ４、Ｍ８〜Ｍ２８がタッチされても、グレーのままでメータ無線機として選択することを禁止する。このことから明らかなように、ＣＰＵ２Ａは、メータ無線機選択手段として働く。
【００３３】
また、マークＭ５又はＭ７がタッチされてメータ無線機として選択されると、ＣＰＵ２Ａは、第２判定手段として働き、選択されたＧＷ無線機と中継により通信可能な無線機を判定し、ＲＡＭ２Ｃ内に記憶しておく。ＣＰＵ２Ａは、例えば、選択されたメータ無線機を中心とし、見通し距離内にある無線機を中継により通信可能な無線機として判定する。例えば、図５に示すように、マークＭ５がメータ無線機に選択された場合、その見通し距離Ｒ５内にあるマークＭ４が中継により通信可能な無線機として判定される。また、マークＭ７がメータ無線機に選択された場合、その見通し距離Ｒ７内であるマークＭ８〜Ｍ１０が中継により通信可能な無線機として判定される。
【００３４】
設計者は、続けて、タッチパネル４上にグレーに表示されているマークＭ１〜Ｍ４、Ｍ８〜Ｍ２８をタッチして、メータ無線機として選択する。マークＭ５、Ｍ７がメータ無線機として選択されている場合、ＣＰＵ２Ａは、中継により通信可能なマークＭ４、Ｍ８〜Ｍ１０がタッチされると、図６に示すように、グレーから例えば青色に色を変えて、メータ無線機として選択されたことを識別可能にする。一方、ＣＰＵ２Ａは、マークＭ４、Ｍ８〜Ｍ１０以外のマークＭ１〜Ｍ３、Ｍ１１〜Ｍ２８がタッチされても、グレーのままでメータ無線機として選択することを禁止する。
【００３５】
ＣＰＵ２Ａは、メータ無線機を選択する毎に、選択されたメータ無線機を中心とした見通し距離内の無線機を中継により通信可能な無線機であると判定し、メータ無線機として選択できるようにする。これを繰り返した結果、図７に示すように、ＧＷ無線機であるマークＭ６に対して、マークＭ１〜Ｍ５、Ｍ７〜Ｍ１０をメータ無線機として選択すると、メータ無線機として選択できるマークがなくなる。
【００３６】
次に、メータ無線機の選択が終了すると、設計者は、タッチパネル４上に表示されたネットワーク登録アイコン（図示せず）をタッチ操作する。ネットワーク登録アイコンのタッチ操作が行われると、ＣＰＵ２Ａは、ＧＷ設定手段として働き、ＧＷ無線機として選択された、即ち図７に示す緑色に表示されたマークＭ６に対応する無線機をＧＷ無線機として設定する。また、ＣＰＵ２Ａは、メータ無線機設定手段として働き、メータ無線機として選択された、即ち、図６に示す青色に表示されたマークＭ１〜Ｍ５、Ｍ７〜Ｍ１０に対応する無線機をメータ無線機として設定する。以上のことから明らかなように、タッチパネル４が設定操作手段として働く。
【００３７】
次に、ＣＰＵ２Ａは、ネットワーク識別情報付与手段として働き、マークＭ６をＧＷ無線機、マークＭ１〜Ｍ５、Ｍ７〜Ｍ１０をメータ無線機とする図７中の点線で囲んだ検針ネットワークＮ１にネットワーク番号（ネットワーク識別情報）、チャネル番号を自動的に付与する。さらに、ＣＰＵ２Ａは、検針ネットワークＮ１を構成するマークＭ１〜Ｍ１０に対応する無線機に無線機番号を付与する。
【００３８】
そして、ＣＰＵ２Ａは、記録手段として働き、図８に示すように、ネットワーク番号、チャネル番号と、ネットワーク番号に対応する検針ネットワークＮ１を構成する無線機の顧客名、顧客住所、無線機番号と、を関連付けたテーブルを作成して、ＲＡＭ２Ｃ内に記憶させる。次に、設計者は、タッチパネル４上に表示された送信アイコン（図示せず）をタッチ操作する。すると、ＣＰＵ２Ａは、無線通信部３によって、無線通信網を介してサーバに接続して、テーブルをサーバに送信する。
【００３９】
その後、設計者が再びタッチパネル４上に表示された新規設定アイコン（図示せず）をタッチ操作すると、ＣＰＵ２Ａは、図９に示すように、地図上に入力された無線機が設置された位置（住所）を示すマークＭ１〜Ｍ２８（マーク）を重畳させた画像を、タッチパネル４に表示する。このとき、すでに設定された検針ネットワークＮ１を構成する無線機を示すマークＭ１〜Ｍ１０は橙色に表示され、どの検針ネットワークにも属していない無線機を示すマークＭ１１〜Ｍ２８は、グレーに表示される。
【００４０】
そして、上述したように同じ手順で、ＧＷ無線機、メータ無線機を設定して検針ネットワークを設計する。結果、図１０に示す例では、検針ネットワークＮ１に加えて、マークＭ１１をＧＷ無線機、マークＭ１２、Ｍ１３をメータ無線機とした検針ネットワークＮ２、マークＭ１４をＧＷ無線機、マークＭ１５をメータ無線機とした検針ネットワークＮ３、マークＭ２１をＧＷ無線機、マークＭ１６〜Ｍ２０、Ｍ２２〜Ｍ２４をメータ無線機とした検針ネットワークＮ４、マークＭ２６をＧＷ無線機、マークＭ２５、Ｍ２７、Ｍ２８をメータ無線機とした検針ネットワークＮ５が設定される。
【００４１】
ＣＰＵ２Ａは、検針ネットワークＮ１〜Ｎ５が設計されると、同様に、ネットワーク番号、チャネル番号、無線機番号を付与する。このとき、ＣＰＵ２Ａは、既に付与されたネットワーク番号は付与しないようにして、重複しないように例えば１から順番にネットワーク番号を付与する。
【００４２】
また、例えば、互いに隣接する検針ネットワークＮ１、Ｎ２に同じチャネル番号が付与されると、検針ネットワークＮ２を構成するメータ無線機からの検針値が検針ネットワークＮ１のＧＷ無線機に送信されてしまい、無駄な通信が発生し、検針値の送信に時間がかかってしまう恐れがある。
【００４３】
そこで、ＣＰＵ２Ａは、隣接する検針ネットワークに同じチャネル番号が付与されないようにする。例えば、図１０に示す例だと、ＣＰＵ２Ａは、隣接する検針ネットワークＮ１〜Ｎ４にはそれぞれ異なるチャネル番号を付与する。隣接しない検針ネットワークＮ１、Ｎ５は、同じチャネル番号を付与してもよい。
【００４４】
上述した第１実施形態によれば、ＧＷ無線機及びメータ無線機が設定されると、ＣＰＵ２Ａが、自動的に設定されたＧＷ無線機及びメータ無線機から構成される検針ネットワークにネットワーク番号を付し、ネットワーク番号と、当該ネットワーク番号に対応する検針ネットワークと、を関連付けた図８に示すテーブルをＲＡＭ２Ｃに記録する。これにより、検針ネットワークを設定するとネットワーク番号の付与と、ネットワーク番号の管理（記録）と、を自動で行うことができ、簡単に検針ネットワークの設計を行うことができる。
【００４５】
また、上述した第１実施形態によれば、ＣＰＵ２Ａが、ＧＷ無線機として選択された無線機であることが識別できるようにマークＭ１〜Ｍ２８の表示色をグレーから緑色に変更して表示すると共に、メータ無線機として選択された無線機であることが識別できるようにマークＭ１〜Ｍ２８の表示色をグレーから青色に変更して表示している。これにより、選択されたＧＷ無線機とメータ無線機との地図上の位置を簡単に確認することができる。
【００４６】
また、上述した第１実施形態によれば、ＣＰＵ２Ａが、マークＭ１〜Ｍ２８をタッチ選択したとき、選択されたＧＷ無線機と直接又は中継により通信可能な無線機でなければグレーのままにして選択することを禁止する。これにより、選択されたＧＷ無線機と通信不可能なものがメータ無線機として選択されることがない。
【００４７】
(第２実施形態)
次に、第２実施形態におけるタブレット１について説明する。第１実施形態において、タブレット１は、選択されたＧＷ無線機と直接又は中継により通信可能な無線機でなければマークＭ１〜Ｍ２８をタッチ選択しても、グレーのままにし、青色に換えることができないようにしていたが、これに限ったものではない。
【００４８】
例えば、ＧＷ無線機がマークＭ６に選択された後、かつ、メータ無線機が選択される前に、図５に示すようにＣＰＵ２Ａは、このマークＭ６と通信できる無線機のマークＭ５、Ｍ７を例えば黄色に表示して、マークＭ６と通信可能であることを視認できるようにしてもよい。設計者は、黄色に表示されたマークＭ５、Ｍ７をタッチすることにより、メータ無線機として選択することができる。このとき、メータ無線機としてタッチ選択されたマークＭ５、Ｍ７は、黄色から青色に表示色を変えて、メータ無線機として選択されたことを示す。この場合、タッチ選択する前に、ＧＷ無線機と通信できるか否かがわかるので、設計者がメータ無線機を選択しやすい。
【００４９】
なお、第２実施形態では、マークＭ１〜Ｍ２８の表示色によりＧＷ無線機と通信可能であることを識別できるようにしていたが、これに限ったものではない。図４の見通し距離Ｒ６を示す円を現実に重畳して表示することにより、ＧＷ無線機として選択されたマークＭ６と通信可能であることを識別できるようにしてもよい。
【００５０】
また、上述した第１、第２実施形態では、ＣＰＵ２Ａは、無線機の見通し距離のみによってＧＷ無線機と通信可能な無線機を判定していたが、これに限ったものではない。例えば、無線機からの電波を遮るような高いビルなどの遮蔽物がある場合、その遮蔽物の位置をタブレット１に予め入力できるようにしており、ＣＰＵ２Ａはこの入力された遮蔽物の位置を考慮して、ＧＷ無線機と通信可能な無線機を判定するようにしてもよい。
【００５１】
また、上述した第１、第２実施形態によれば、メータ無線機を設計者が選択して、設定するようにしていたが、これに限ったものではない。例えば、ＧＷ無線機が設計者により選択された後、ＣＰＵ２Ａが、選択されたＧＷ無線機と直接通信可能な無線機を判定し、判定した無線機をメータ無線機として自動的に選択するようにしてもよい。また、ＣＰＵ２Ａは、メータ無線機として自動選択された無線機を中継してＧＷ無線機と通信可能な無線機を判定し、判定した無線機をメータ無線機としてさらに自動的に選択するようにしてもよい。ただし、検針ネットワークを構成するメータ無線機には台数制限があるので、ＣＰＵ２Ａは、台数制限を超えないように、メータ無線機を自動的に選択する。
【００５２】
また、上述した第１、第２実施形態によれば、ＧＷ無線機を設計者が選択して、設定するようにしていたが、これに限ったものではない。例えば、ＣＰＵ２Ａは、顧客リストを入力すると、自動的にＧＷ無線機を設定するようにしてもよい。ＣＰＵ２Ａは、例えば、管理事務所との距離や、無線機同士の位置関係などにより自動的に設定するようにしてもよい。
【００５３】
また、上述した第１、第２実施形態によれば、ＧＷ無線機と直接又は中継により通信可能な無線機のマークＭ１〜Ｍ２８をタッチすると、マークＭ１〜Ｍ２８の表示色をグレーから緑色に変えて通信可能であることだけを識別可能に表示していたが、これに限ったものではない。例えば、ＧＷ無線機の見通し距離に対して、余裕があり良好な無線通信が望める場合と、余裕がなく若干無線通信が不安になる恐れがある場合とでマークＭ１〜Ｍ２８の色を変えて、これらを識別可能に表示するようにしてもよい。
【００５４】
また、前述した実施形態は本発明の代表的な形態を示したに過ぎず、本発明は、実施形態に限定されるものではない。即ち、本発明の骨子を逸脱しない範囲で種々変形して実施することができる。
【符号の説明】
【００５５】
１  タブレット（設計装置）
２Ａ  ＣＰＵ（入力手段、ＧＷ設定手段、メータ無線機設定手段、ネットワーク識別情報付与手段、記録手段、表示制御手段、ＧＷ選択手段、メータ無線機選択手段、第１判定手段、第２判定手段）
４  タッチパネル（設定操作手段）
１１  ＧＷ無線機
１２ａ〜１２ｄ  メータ
１３ａ〜１３ｄ  メータ無線機
Ｍ１〜Ｍ２８  マーク
Ｎ  検針ネットワーク
【図１】
0006755646.tif 000002
【図２】
0006755646.tif 000003
【図３】
0006755646.tif 000004
【図４】
0006755646.tif 000005
【図５】
0006755646.tif 000006
【図６】
0006755646.tif 000007
【図７】
0006755646.tif 000008
【図８】
0006755646.tif 000009
【図９】
0006755646.tif 000010
【図１０】
0006755646.tif 000011